(57)【要約】【課題】ＩＣカードを装着した移動体通信端末を利用して住居内の情報家電端末や無線通信機能付き自動車を遠隔制御するシステム等を提供する。【解決手段】本発明のＩＣカードを装着したＩＣカードを利用した情報家電端末の遠隔制御システムは、移動体通信端末２０とＩＣカード２０１そして移動体通信ネットワークを利用して情報家電端末１１〜１５，１９，４０を遠隔制御するシステムであって、自動制御モードにおいて、利用者が出かける際に携帯する移動体通信端末２０が住居のあるセルエリアＥＬから外部の隣接したセルエリアＣＲに移動したことを検知した場合に、特定情報家電端末に対して外出時設定に移行することを命令し、利用者が帰宅する際に携帯する移動体通信端末が隣接したセルエリアＣＲから住居のあるセルエリアＥＬに入ってきたことを検知した場合に、特定情報家電端末に対して滞在時設定に移行することを命令することを特徴とする。このようなシステムは手動制御モードとして住居のあるセルエリアＥＬの内外において意識的に制御命令を出すこともできる。【選択図】  図１
2004192017.tif 000002
【特許請求の範囲】
【請求項１】
ＩＣカードを装着した移動体通信端末を利用して情報家電端末を遠隔制御するシステムであって、ＩＣカードを装着した移動体通信端末が自動制御モードと手動制御モードを有し、自動制御モードにおいては、移動体通信端末がセルＩＤ等の位置情報が変化したことを検知する度にセルＩＤ等の位置情報とともにその旨をＩＣカードに通知し、通知を受けたＩＣカードは受信したセルＩＤ等の位置情報とＩＣカードに格納されている住居エリア情報とエリアステータス情報とを比較し、ＩＣカードが住居エリアの中から外に移動したことを検知した場合には移動体通信ネットワークを通じて住居内に設置された無線通信機能付き情報家電端末に対して事前に設定された外出時設定に移行するように自動的に命令し、ＩＣカードが住居エリアの外から中に進入してきたことを検知した場合には移動体通信ネットワークを通じて住居内に設置された無線通信機能付き情報家電端末に対して事前に設定された滞在時設定に移行するように自動的に命令する、ことを特徴とするＩＣカードを装着した移動体通信端末を利用した情報家電端末の遠隔制御システム。
【請求項２】
ＩＣカードを装着した移動体通信端末を利用して情報家電端末を遠隔制御するシステムであって、自動制御モードにおいて、利用者が出かける際に携帯する移動体通信端末に装着されたＩＣカードが住居エリアの中から外に移動したことを検知した場合には移動体通信ネットワークを通じて住居内に設置された無線通信機能付き情報家電端末に対して事前に設定された外出時設定に移行するように命令する、ことを特徴とするＩＣカードを装着した移動体通信端末を利用した情報家電端末の遠隔制御システム。
【請求項３】
ＩＣカードを装着した移動体通信端末を利用して情報家電端末を遠隔制御するシステムであって、自動制御モードにおいて、利用者が帰宅する際に携帯する移動体通信端末に装着されたＩＣカードが住居エリアの外から中に進入してきたことを検知した場合に、移動体通信ネットワークを通じて住居内に設置された無線通信機能付き情報家電端末に対して事前に設定された滞在時設定に移行するように命令する、ことを特徴とするＩＣカードを装着した移動体通信端末を利用した情報家電端末の遠隔制御システム。
【請求項４】
ＩＣカードを装着した移動体通信端末を利用して情報家電端末を遠隔制御するシステムであって、ＩＣカードを装着した移動体通信端末が自動制御モードと手動制御モードを有し、手動制御モードにおいては、利用者が住居内または遠隔地において携帯するＩＣカードを装着した移動体通信端末を操作して、意識的に特定の住居内に設置された無線通信機能付き情報家電端末の設定を変更する、ことを特徴とするＩＣカードを装着した移動体通信端末を利用した情報家電端末の遠隔制御システム。
【請求項５】
移動体通信ネットワークを利用するための加入者識別モジュールを搭載したＩＣカードを装着し、着信可能な電話番号等の識別番号を設定することによって遠隔操作可能な移動体通信端末を限定したり、全ての遠隔制御を禁止したりすることを可能とし、移動体通信端末より設定変更の命令を受信した際にはその命令を適切に実行する無線通信機能付きの情報家電端末を利用する、ことを特徴とするＩＣカードを装着した移動体通信端末を利用した情報家電端末の遠隔制御システム。
【請求項６】
住居内に設置された無線通信機能付き情報家電端末と移動体端末の両方に加入者識別モジュールを搭載したＩＣカードを装着して通信することにより、それぞれのＩＣカード内の加入者識別モジュールが提供する暗号通信用の鍵生成機能と本人認証用の電子署名機能に基づいた移動体通信ネットワークシステムのセキュリティを信用することによって、当該遠隔制御システム用に別途セキュリティ技術を必要としない、ことを特徴とするＩＣカードを装着した移動体通信端末を利用した情報家電端末の遠隔制御システム。
【請求項７】
請求項１ないし請求項６記載のＩＣカードを装着した移動体通信端末を利用した情報家電端末の遠隔制御システムに使用する移動体通信端末であって、以下の▲１▼〜▲７▼の機能を有する、ことを特徴とする移動体通信端末。
▲１▼移動体通信ネットワークとの無線通信機能、▲２▼位置情報を検知する機能、  ▲３▼位置情報に変化があった場合にＩＣカードにその事実を知らせる機能、▲４▼ＩＣカードより受信した各種命令を実行する機能、▲５▼ＩＣカードと通信する機能、▲６▼住居内に設置された無線通信機能付き情報家電端末に接続し通信する機能、  ▲７▼物理的なボタンまたはソフトキーを利用して画面を通じて利用者が住居内に設置された無線通信機能付き情報家電端末の遠隔制御に必要な条件設定を行う機能。
【請求項８】
請求項１ないし請求項６記載のＩＣカードを装着した移動体通信端末を利用した情報家電端末の遠隔制御システムに使用され、移動体通信端末に装着されるＩＣカードであって、以下の▲１▼〜▲４▼の機能を有する、ことを特徴とするＩＣカード。
▲１▼加入者識別機能、▲２▼移動体通信端末が位置情報の変化を検知した場合にＩＣカードにその事実を知らせるように移動体通信端末を設定しておく機能であるイベントセットアップ機能、▲３▼移動体端末から位置情報が変化した旨通知を受けた場合に、受信したセルＩＤ等の位置情報と内部に格納してある住居エリア情報とエリアステータス情報と比較し、住居エリアの中から外に移動したことを検知した場合には、移動体通信端末に対して住居内に設置された無線通信機能付き情報家電端末へ接続して外出時設定に移行するコマンドを送信するよう要求する機能、▲４▼移動体端末から位置情報が変化した旨通知を受けた場合に、受信したセルＩＤ等の位置情報と内部に格納してある住居エリア情報とエリアステータス情報を比較し、住居エリアの外から中に移動したことを検知した場合には、移動体通信端末に対して住居内に設置された無線通信機能付き情報家電端末へ接続し、接続が確立した段階で滞在時設定に移行するコマンドを送信するように要求する機能。
【発明の詳細な説明】
【０００１】
【発明の属する技術分野】
本発明は、移動体通信端末とそこに装着されたＩＣカードには住居エリアの中から外に出たこともしくは住居エリアの外から中に入ってきたことを自動検知する機能と移動体通信ネットワークを通じて住居内に設置された情報家電端末に対して各種命令（コマンド）を送る機能を搭載し、住居内に設置された情報家電端末には移動体通信ネットワークに接続するための加入者識別モジュールを搭載したＩＣカードを装着することにより、住居内に設置された各種情報家電端末の遠隔制御（作動状況確認を含む）を可能にする制御システムおよびそれに使用する移動体通信端末とＩＣカードに関するものである。
【０００２】
【従来技術】
カード型記憶媒体に記憶した制御用プログラムと、ＩＤ検知器の個人識別情報とにより、複数の各種家電機器を単一のコントローラで総合的に集中制御し、住居内の家電機器を個人の生活リズムに合わせて制御を行おうとする先行技術には、特開平３−１８２９６５号公報「住居内の総合制御システム」等がある。
上記特開平３−１８２９６５号公報の技術は、カード型記憶媒体に各人の生活パターンにあわせた各種住居内家電機器の制御用プログラムを記憶させて、各人が使用する各部屋には、ＩＤ検知器が配備してあり、各人は個人を特定するＩＤカードを携帯している。
カードリーダライタは、ＩＣカードが記憶する個人毎の家電機器制御用プログラムを読み出し、コントローラのプログラムメモリに記憶する。ＩＤ検知器の検知出力により、コントローラは個人に対応する制御プログラムに基づき、各種家電機器を制御する。これにより、逐一に各使用者が各部屋の家電機器を各別に入り切り操作する必要がなく、自己の生活パターンにあった快適で便宜な生活を実現することができる、とするものである。
【０００３】
しかし、当該技術は、一定の住居内におけるシステムであって屋外から制御するシステムとは目的を異にする。また、近年広範に使用されている移動体通信端末を使用するものではなく外部から遠隔制御することはできない。
現代の生活においては、家人の居ない家庭の家電機器等を屋外から自動制御することが求められており、上記の先行技術では、それらの機能は考慮されておらず生活の利便性が顕著に向上するものとも考えられない。
【０００４】
【発明が解決しようとする問題】
そこで、本発明は移動体通信端末とそこに装着されたＩＣカードを使用して、住居内に設置された情報家電端末と通信することによって、自動的または意識的に住居内に設置された各情報家電端末の電源を落としたり入れたり、所定の設定に変更したり、あるいは電子ロックを施錠、解錠したりする仕組みを構築し、かかる現代生活に求められる課題を解決しようとするものである。
【０００５】
【課題を解決するための手段】
上記課題を解決するための本発明の要旨の第１は、ＩＣカードを装着した移動体通信端末を利用して情報家電端末を遠隔制御するシステムであって、ＩＣカードを装着した移動体通信端末が自動制御モードと手動制御モードを有し、自動制御モードにおいては、移動体通信端末がセルＩＤ等の位置情報が変化したことを検知する度にセルＩＤ等の位置情報とともにその旨をＩＣカードに通知し、通知を受けたＩＣカードは受信したセルＩＤ等の位置情報とＩＣカードに格納されている住居エリア情報とエリアステータス情報とを比較し、ＩＣカードが住居エリアの中から外に移動したことを検知した場合には移動体通信ネットワークを通じて住居内に設置された無線通信機能付き情報家電端末に対して事前に設定された外出時設定に移行するように自動的に命令し、ＩＣカードが住居エリアの外から中に進入してきたことを検知した場合には移動体通信ネットワークを通じて住居内に設置された無線通信機能付き情報家電端末に対して事前に設定された滞在時設定に移行するように自動的に命令する、ことを特徴とするＩＣカードを装着した移動体通信端末を利用した情報家電端末の遠隔制御システム、にある。
かかるシステムであるため、住居エリア退出時には情報家電端末に対する電源の切り忘れや設定間違いを無くし、住居エリア進入時には事前電源投入や事前に所定の設定に移行しておくことが可能となる。
【０００６】
上記課題を解決するための本発明の要旨の第２は、ＩＣカードを装着した移動体通信端末を利用して情報家電端末を遠隔制御するシステムであって、自動制御モードにおいて、利用者が出かける際に携帯する移動体通信端末に装着されたＩＣカードが住居エリアの中から外に移動したことを検知した場合には移動体通信ネットワークを通じて住居内に設置された無線通信機能付き情報家電端末に対して事前に設定された外出時設定に移行するように命令する、ことを特徴とするＩＣカードを装着した移動体通信端末を利用した情報家電端末の遠隔制御システム、にある。かかるシステムであるため、住居エリア退出時には情報家電端末に対する電源の切り忘れや設定間違いを無くすことが可能となる。
【０００７】
上記課題を解決するための本発明の要旨の第３は、ＩＣカードを装着した移動体通信端末を利用して情報家電端末を遠隔制御するシステムであって、自動制御モードにおいて、利用者が帰宅する際に携帯する移動体通信端末に装着されたＩＣカードが住居エリアに進入してきたことを検知した場合に、移動体通信ネットワークを通じて住居内に設置された無線通信機能付き情報家電端末に対して事前に設定された滞在時設定に移行するように命令する、ことを特徴とするＩＣカードを装着した移動体通信端末を利用した情報家電端末の遠隔制御システム、にある。かかるシステムであるため、住居エリア進入時には事前電源投入や事前に所定の設定に移行しておくことが可能となる。
【０００８】
上記課題を解決するための本発明の要旨の第４は、ＩＣカードを装着した移動体通信端末を利用して情報家電端末を遠隔制御するシステムであって、ＩＣカードを装着した移動体通信端末が自動制御モードと手動制御モードを有し、手動制御モードにおいては、利用者が住居内または遠隔地において携帯するＩＣカードを装着した移動体通信端末を操作して、意識的に特定の住居内に設置された無線通信機能付き情報家電端末の設定を変更する、ことを特徴とするＩＣカードを装着した移動体通信端末を利用した情報家電端末の遠隔制御システム、にある。
かかるシステムであるため、住居内もしくは遠隔地から住居内に設置された情報家電端末に対する電源制御や各種設定の制御が可能となる。
【０００９】
上記課題を解決するための本発明の要旨の第５は、移動体通信ネットワークを利用するための加入者識別モジュールを搭載したＩＣカードを装着し、着信可能な電話番号等の識別番号を設定することによって遠隔操作可能な移動体通信端末を限定したり、全ての遠隔制御を禁止したりすることを可能とし、移動体通信端末より設定変更の命令を受信した際にはその命令を適切に実行する無線通信機能付きの情報家電端末を利用する、ことを特徴とするＩＣカードを装着した移動体通信端末を利用した情報家電端末の遠隔制御システム、にある。
かかるシステムであるため、不正に第三者が住居内に設置された情報家電端末の遠隔制御を行うことを防ぎつつ、事前に設定した電話番号を持つ移動体通信端末からは住居内に設置された情報家電端末に対する遠隔制御が可能となる。
【００１０】
上記課題を解決するための本発明の要旨の第６は、住居内に設置された無線通信機能付き情報家電端末と移動体端末の両方に加入者識別モジュールを搭載したＩＣカードを装着して通信することにより、それぞれのＩＣカード内の加入者識別モジュールが提供する暗号通信用の鍵生成機能と本人認証用の電子署名機能に基づいた移動体通信ネットワークシステムのセキュリティを信用することによって、当該遠隔制御システム用に別途セキュリティ技術を必要としない、ことを特徴とするＩＣカードを装着した移動体通信端末を利用した情報家電端末の遠隔制御システム、にある。
かかるシステムであるため、新たにセキュリティ技術を導入することなく、安全に移動体通信端末から住居内に設置された情報家電端末に対する遠隔制御を行うことが可能となる。
【００１１】
上記課題を解決するための本発明の要旨の第７は、請求項１ないし請求項６記載のＩＣカードを装着した移動体通信端末を利用した情報家電端末の遠隔制御システムに使用する移動体通信端末であって、▲１▼移動体通信ネットワークとの無線通信機能、▲２▼位置情報を検知する機能、▲３▼位置情報に変化があった場合にＩＣカードにその事実を知らせる機能、▲４▼ＩＣカードより受信した各種命令を実行する機能、▲５▼ＩＣカードと通信する機能、▲６▼住居内に設置された無線通信機能付き情報家電端末に接続し通信する機能、▲７▼物理的なボタンまたはソフトキーを利用して画面を通じて利用者が住居内に設置された無線通信機能付き情報家電端末の遠隔制御に必要な条件設定を行う機能、を有することを特徴とする移動体通信端末にある。かかる移動体通信端末であるため、上記システムを十全に機能させることができる。
【００１２】
上記課題を解決するための本発明の要旨の第８は、請求項１ないし請求項６記載のＩＣカードを装着した移動体通信端末を利用した情報家電端末の遠隔制御システムに使用され、移動体通信端末に装着されるＩＣカードであって、▲１▼加入者識別機能、▲２▼移動体通信端末が位置情報の変化を検知した場合にＩＣカードにその事実を知らせるように移動体通信端末を設定しておく機能であるイベントセットアップ機能、▲３▼移動体端末から位置情報が変化した旨通知を受けた場合に、受信したセルＩＤ等の位置情報と内部に格納してある住居エリア情報とエリアステータス情報を比較し、住居エリアの中から外に移動したことを検知した場合には、移動体通信端末に対して住居内に設置された無線通信機能付き情報家電端末へ接続して外出時設定に移行するコマンドを送信するように要求する機能、▲４▼移動体端末から位置情報が変化した旨通知を受けた場合に、受信したセルＩＤ等の位置情報と内部に格納してある住居エリア情報とエリアステータス情報を比較し、住居エリアの外から中に移動したことを検知した場合には、移動体通信端末に対して住居内に設置された無線通信機能付き情報家電端末へ接続して滞在時設定に移行するコマンドを送信するように命令を送信する機能、を有することを特徴とするＩＣカード、にある。かかるＩＣカードであるため、上記システムを十全に機能させることができる。
【００１３】
【発明の実施の形態】
本発明は、ＩＣカードと移動体通信端末を利用した情報家電端末（家電機器に無線通信機能と遠隔制御機能が搭載されたものを本明細書において「情報家電端末」とする。）等の遠隔制御システムおよびそれに使用する移動体通信端末とＩＣカードに関する。
まず、本発明のシステムから説明するが、本発明のシステムは、その制御モードにより、自動制御モードと手動（意識的）制御モードに分けて考えることができる。
自動制御モードは、主に外出時に情報家電端末の消し忘れや鍵のかけ忘れを防止すること、帰宅時には家電の電源を事前にいれたり所定の設定にしたりすることにより手間を省くことを目的に、ＩＣカードを装着した移動体通信端末の位置検出機能を利用して、家から出るときは自動的に電源を落としたり所定の設定にしたりし、帰ってきたときは自動的に電源をいれたり、所定の設定にしたりすることができるような制御モードをいう。
尚、当該自動制御モードは、移動体通信端末の操作により有効設定と無効設定の切り替えが可能なものとする。
【００１４】
一方、手動制御モードはマニュアル制御モードといっても良いが、利用者が、意識的に移動体通信端末を通じて情報家電端末を操作するモードをいう。応用例として通信機能付き自動車のロックを遠隔操作したりすることもできるものとする。いずれのモードの場合においても、移動体通信端末内のＩＣカードに格納された情報に基づき、ローカルワイヤレス通信ではなく通信事業者のネットワークを経由して情報家電端末の設定の変更、電源のＯＮ／ＯＦＦ、電子ロックの施錠／解錠の遠隔操作を行うか、または確認するのが特徴である。通信事業者のネットワークを利用するため、私的ワイヤレス通信施設を要しない利点がある。
【００１５】
以下、本発明の移動体通信端末とＩＣカードを利用した情報家電端末の遠隔制御システムについて、図面を参照して説明する。
図１は、本発明の遠隔制御システムの自動制御モードを示す図である。
図１において、鎖線で囲まれた矩形状枠内は利用者１の住居１０を示す。
住居１０内には各種の情報家電端末があり、それらの情報家電端末にはすべて移動体通信ネットワークを利用するための加入者識別モジュールを搭載したＩＣカードが装着されている。情報家電端末に装着されたＩＣカードは親指大のＰｌｕｇ−ｉｎ  サイズに加工されて組み込まれるようなかたちで装着されていてもクレジットカードサイズのＩＣカードがスロット部に挿入されるかたちで装着されていてもよい。
また、利用者１が所有する移動体通信端末２０にはＩＣカード２０１が装着されている。ＩＣカード２０１は移動体通信端末２０に、親指大のＰｌｕｇ−ｉｎ  サイズに加工されて装着されていてもクレジットカードサイズのＩＣカードが移動体通信端末に設置されたスロット部に挿入されるかたちで装着されていてもよい。
それぞれの加入者識別モジュールには移動体通信ネットワークへの認証のためにＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）と呼ばれる識別番号が割り振られているが、その識別番号またはその識別番号に紐付けされた電話番号のような識別番号を移動体通信端末に登録することにより対応する情報家電端末を遠隔制御の対象とすることができる。
また、情報家電端末側でも、着信可能な電話番号を登録しておくことにより遠隔制御可能な移動体通信端末を限定することが可能であり、よって第三者が許可なしに遠隔制御することを防ぐことができる。
遠隔制御は、移動体通信端末の方から制御対象の情報家電端末に移動体通信ネットワークを通じて接続し、接続を確立した後事前に決められたフォーマットと手順に基づいて命令（コマンド）を送信することで行われる。操作が完了した際には完了の通知が移動体通信端末に送信される。
【００１６】
住居内に設置される無線通信機能付き情報家電端末には、例えば、テレビセット１１、冷蔵庫１２、エアコン１３、ゲーム機１４、パソコン１５がある。
それぞれの情報家電端末は、移動体通信ネットワークと通信するための無線通信モジュールを有するだけでなく、加入者識別モジュールを搭載したＩＣカードや遠隔制御システムに必要なソフトウエアをあらかじめ有するものとする。
ソフトウエアは、接続要求の送信元があらかじめ登録されているかどうかの確認や、端末の動作状況（温度設定、電源のＯＮ／ＯＦＦ等）の管理、移動体通信端末から送信されてくる遠隔制御用のコマンドの解釈や実行、処理完了後の移動体通信端末への応答等を行う。
一方、住居１０の出入り口であるドアに無線通信機能付き電子ロック１９を設けて電子的な施錠、解錠が遠隔制御することも可能である。この電子ロック１９もいわゆる情報家電端末であって移動体通信ネットワークと通信するための無線通信モジュールを有するだけでなく、加入者識別モジュールを搭載したＩＣカード１１１ｆや遠隔制御システムに必要なソフトウエアをあらかじめ有するものとする。
【００１７】
住居１０の近辺には、無線通信機能付き自動車４０が駐車しており、ＩＣカード１１１ｇを備え、同様に利用者の命令を受けて必要な動作（例えばロックの施錠、解錠）を行うようにされている。無線通信機能付き自動車４０も本明細書では情報家電端末に含まれるものとする。
【００１８】
さらに、図１において、住居１０は、基地局３１のセルエリアＥＬに属しており、基地局３１から通信電波を受け取ることになる。
利用者１が頻繁に往復する隣接地には基地局３２がある。住居１０を囲む太い鎖線の楕円ＥＬは、基地局３１のセルエリアを示しており、同様に鎖線の円ＣＲは、隣接の基地局３２のセルエリアを示している。
基地局３２には、基地局コントローラ３３が設置されていてその先にはさらに交換機３４等が設置されていて他の移動体通信端末への接続や通常の加入電話への接続などの役割を行う。
基地局３１と基地局３２とは、モバイルネットワークＭＮを構成しているので、利用者１が基地局３２のある隣接するセルエリアから移動体通信端末２０により命令を発信した場合には、基地局３２、基地局コントローラ３３、交換機３４、および基地局３１を介して、それぞれの情報家電端末に命令が送信されることになる。
【００１９】
一般に移動体通信ネットワークでは、基地局がそのセルエリアに割り振られたセルＩＤなどの位置情報を常に放送している。そして移動体通信ネットワーク内で移動体通信端末の電源が入れられると、移動体通信端末はその放送されている位置情報を受信し移動体通信端末に装着されたＩＣカード内に格納された前回の位置情報と比較し、同一であればそのまま待ち受け状態に入り、同一でなければ前回のセルより移動したと認識してあらためて移動体通信ネットワークに対して位置登録を行う。一旦移動体通信端末が移動体通信ネットワークに対して位置登録を完了すると、その後は移動体通信端末が他のセルエリアに移動した場合はセルエリアを移動する毎に、一定時間何も変化が起きない場合は受信電波中に指定された一定間隔おきに、位置登録更新を行っていく。
上記のような位置登録の仕組みによって、移動体通信ネットワークに設置された交換機３４は移動体端末の現在地情報を把握することができ、その現在地情報を使って特定の移動体通信端末を呼び出すことができる。
移動体通信端末は随時最適な通信品質を求めて電波の受信出力等を基準に接続する基地局を選定していく。接続している基地局が変更した場合、受信電波中の位置情報が変化するため、移動体通信端末は常に受信電波中の位置情報を継続的に監視することによってセルエリアが変更したことを検知し、移動体通信ネットワークへ位置登録更新を行うきっかけとする。
本発明のシステムは、この移動体通信端末の受信電波中の位置情報を継続的に監視しセルエリアの変更を検知する機能を利用する。
【００２０】
また、現在主に欧州を中心に採用されているＳＡＴ（ＳＩＭ  Ａｐｐｌｉｃａｔｉｏｎ  Ｔｏｏｌｋｉｔ  ）と呼ばれる、移動体通信ネットワークを使用して付加価値サービスを実現するための移動体通信端末とＩＣカード間の仕組みの標準規格がある。第３世代移動体通信規格ではＵＳＡＴ（ＵＳＩＭ  Ａｐｐｌｉｃａｔｉｏｎ  Ｔｏｏｌｋｉｔ）もしくはＣＡＴ（ＣａｒｄＡｐｐｌｉｃａｔｉｏｎ  Ｔｏｏｌｋｉｔ）といった名称で拡張されている。ＳＡＴに対応した移動体通信端末とＩＣカードを使用すると、従来端末側からのコマンドを受けてからしか動作することができなかったＩＣカードが能動的に移動体通信端末に対してコマンドを送ることができる。特定の出来事（例えばセルエリアの移動等。）が発生した場合にその事実をＩＣカードに知らせるよう設定しておくようなこともできる。
【００２１】
本発明システムに使用されるＩＣカードは、セルエリアＥＬのセルＩＤ等の住居セルエリア情報、エリアステータス情報（住居エリアに滞在中なのかそれとも住居エリアから外出中なのかを表す情報）、自動制御モードＯＮ／ＯＦＦ設定情報、遠隔制御対象情報家電端末の識別番号（電話番号等）を格納し、かつ、上記ＳＡＴもしくは上記ＳＡＴに類似した仕組みに対応しているものとし、移動体通信端末に対しセルエリアの移動が発生したら通知するようにあらかじめ指示を出しておくものとする。
また、移動体通信端末の方も上記ＳＡＴもしくは上記ＳＡＴに類似した仕組みに対応しているものとし、セルエリアの移動が発生したら通知するようにとあらかじめＩＣカードより指示を受けた状態でセルエリアの移動を検知した場合には、速やかにＩＣカードにその事実を通知するものとする。
一般的な例を挙げると、例えば第３世代移動体通信規格策定団体である３ＧＰＰ（３ｒｄ  Ｇｅｎｅｒａｔｉｏｎ  Ｐａｒｔｎｅｒｓｈｉｐ  Ｐｒｏｊｅｃｔ  ）のＵＳＡＴの規格である３ＧＰＰＴＳ３１．  １１１では、このような仕組みのことを「Ｅｖｅｎｔ  ｄｏｗｎｌｏａｄ  ｍｅｃｈａｎｉｓｍ」と呼んでいる。
【００２２】
ＩＣカード２０１は、移動体通信端末２０よりセルエリアの移動が発生したとの通知を受けた段階で、発生通知と共に受信したセルＩＤ等の位置情報とＩＣカード内部に格納してある住居エリア情報（住居エリアのセルＩＤ）とエリアステータス情報（住居エリアに滞在中なのかそれとも住居エリアから外出中なのかを表す情報）とを比較し、住居エリアの中から外に移動したのか、外から中に移動したのか、エリアステータス情報に変更はないか、を判断し、移動体通信端末に通知する。
移動体通信端末２０はエリアステータス情報に変更はないとの通知をＩＣカード２０１より受信した場合は何もしない。が、住居エリアの中から外に移動したまたは外から中に進入したとの通知をＩＣカードより受信した場合は、対象となる情報家電端末に移動体通信ネットワークを通じて接続し、適当なコマンドを送信する。
住居エリアの中から外に移動した場合は外出時モードに移行するコマンドを、住居エリアの外から中に移動した場合は滞在時モードに移行するコマンドを送信する。
住居内に設置された無線通信機能付き情報家電端末への接続は、電話番号等の識別番号に基づいて行う。情報家電端末は移動体通信端末より受信したコマンドの処理を完了すると移動体通信端末に対して終了通知を返信する。
【００２３】
図１において利用者１は、住居１０のセルエリアＥＬに隣接するセルエリアに居て、ＩＣカード２０１を装着した移動体通信端末２０が自宅の情報家電端末を自動制御している。
セルエリアＥＬのセルＩＤは住居エリア情報としてＩＣカードに格納されており、矢印「ＯＵＴ」の外出時には隣接セルエリアＣＲに出た段階で移動体通信端末２０が隣接セルのＩＤ（基地局３２のセルＩＤ）を検知し、その事実をＩＣカード２０１に通知し返信を待つ。ＩＣカード２０１は移動体通信端末２０からセル移動通知を受信すると、内部に格納されている住居エリア情報を確認し、その後エリアステータス情報を確認する。
この場合、住居エリア情報は、住居１０のセルエリアＥＬのセルＩＤそしてエリアステータス情報は滞在時設定となっているため、ＩＣカードは、情報家電端末を外出時設定へ移行するコマンドを各情報家電端末に送信するよう移動体通信端末に通知する。通知を受けた移動体通信端末は対象となる情報家電端末に接続し、適当なコマンドを送信する。
反対に矢印「ＩＮ」の帰宅時には隣接セルエリアＣＲから住居１０のセルエリアＥＬに進入した段階で移動体通信端末２０がセルエリアＥＬのセルＩＤ（基地局３１のセルＩＤ）を検知し、その事実をＩＣカード２０１に通知し返信を待つ。ＩＣカード２０１は移動体通信端末２０からセル移動通知を受信すると、内部に格納されている住居エリア情報を確認し、その後エリアステータス情報（住居エリアに滞在中なのかそれとも住居エリアから外出中なのかを表す情報）を確認する。この場合、住居エリア情報は、住居１０のセルエリアＥＬのセルＩＤそしてエリアステータス情報は外出時設定となっているため、ＩＣカード２０１は、情報家電端末を滞在時設定へ移行するコマンドを各情報家電端末に送信するよう移動体通信端末に通知する。通知を受けた移動体通信端末は対象となる情報家電端末に接続し、適当なコマンドを送信する。
これらの機能は利用者１が移動体通信端末を操作して自動制御機能を明示的に解除しない限りは利用者が意識しないところで行われる。音声通話中などでも自動的に処理が行われる。
【００２４】
自動制御モードは、住居１０内に他の家族が居る場合は矛盾した動作を指示することになる場合が生じるので、単身者や留守宅を制御する場合に適したモードと考えられる。そのような問題を未然に防ぐために移動体通信端末を操作して利用者が自動制御機能を明示的に解除することもできる。
【００２５】
尚、住居エリアをより広い範囲で設定したい場合はセルエリアＥＬのセルＩＤだけでなく周辺のセルを複数含んでもよい。その場合、帰宅時に早めに滞在時モードへ情報家電端末を移行させることができるため、利用者１が住居に到着するころには家の中が暖まっていたり、湯加減が適当になっている状態とすることができる。
また、遠隔制御可能な移動体通信端末を限定したい場合は情報家電端末上で遠隔制御を許可する移動体通信端末の電話番号等の識別番号が登録でき、遠隔制御を全く作動させたくない場合は情報家電端末上で遠隔制御機能を解除できるものとする。
【００２６】
図２は、本発明システムの手動（意識的）制御モードを示す図である。
図２において、鎖線で囲まれた矩形状枠内は利用者１の住居１０を示すこと、住居１０内には各種無線通信機能付き情報家電端末があること、家電１１から１５、電子ロック１９、無線通信機能付き自動車４０の内容も同一である。
【００２７】
図２において、住居１０は基地局３１のセルエリアＥＬ内にあり、基地局３１は他の基地局３２等とモバイルネットワークＭＮを構成している。
手動制御モードの場合の特徴は、セルエリアＥＬの内外にかかわらず、利用者１が移動体通信端末の物理的なボタンまたはソフトキーを利用して画面を通じて意識的に対象となる情報家電端末を遠隔操作することにある。この制御モードでは、事前に設定された外出時モードや滞在時モードへの切替だけでなく、特定の情報家電端末に対する適切な条件設定も可能なものとする。
自動制御モードは、作動のトリガーがセルＩＤ等の位置情報の検出であったのに対し、手動制御モードは、利用者の移動体通信端末の画面経由による意識的な制御である点において相違する。
また、自動制御モードの際には、細かい条件設定は情報家電端末に外出時モードや滞在時モードの設定として事前に決められていたため移動体通信端末からのコマンドのデータフィールドには条件設定に関するデータは存在しないが、手動制御モードの場合、移動体通信端末の画面を通して受け付けた温度設定等の細かい条件設定を移動体端末上のソフトウエアがコマンド内のデータフィールドに格納したうえでコマンドを情報家電端末に送信するという点において相違する。
また、手動制御モードであれば単一の情報家電端末に対して個別に任意のタイミングで条件設定することが可能である。
上記以外の点は自動制御モードと同一である。
【００２８】
図３は、手動制御モードを無線通信機能付き自動車に適用する例を示す図である。
利用者１が郊外にドライブしたが、無線通信機能付き自動車４０が、車内に鍵もしくは鍵として利用していた移動体通信端末を置き忘れて運転できない状態になっている。自動車４０は基地局３６のエリアにある。利用者１は、家族２に電話して移動体通信端末２０を操作することを依頼する。自動車４０側には利用者１と家族２の移動体通信端末のみ遠隔操作が許可されているものとする。
家族がＩＣカード２０１を装着した移動体通信端末を使って「ロック解除コマンド」を送信すると、基地局３１と基地局３６を通してコマンドは自動車４０に送信される。
通信機能付き自動車４０はコマンドを受信し、正常に処理を完了した段階で自動車のロックを解除する。これにより自動車４０は運転可能になる。
上記において、移動体通信端末を操作する者を家族２と説明したが、このような業務を遂行する第三者のサービス事業者に委ねることもできる。
【００２９】
図４は、本発明システムに住居内ネットワークを構築した場合の自動制御モードの例を表す図である。
住居１０内に住居内ネットワーク１８を構築し、それぞれの遠隔制御対象情報家電端末の制御情報を格納して住居内ネットワーク１８を集中管理する無線通信機能付きセットトップボックス１６を使用した場合の遠隔制御システム（自動制御モード）の例を表している。
冷蔵庫１２ｎ、エアコン１３ｎ、ゲーム機１４ｎ、パソコン１５ｎ、テレビモニタ１７ｎ等の遠隔制御対象情報家電端末が無線または有線でＩＣカード１１１ｈを装着した無線通信機能付きセットトップボックス１６に接続されている。
このような構成にすることにより、情報家電端末の条件設定等の操作をまとめて行うことができるうえ、それぞれの情報家電端末に移動体通信ネットワークを利用するためのＩＣカードや無線通信機能を搭載する必要がないため、利便性からみても、コスト面からみても、効率的な遠隔制御システムと言える。
住居内ネットワーク１８を有しない場合に比べて、移動体通信ネットワークを通じて接続するのは無線通信機能付きセットトップボックス１６のみであるためそれぞれの情報家電端末は移動体ネットワークに割り当てられた識別番号でなく住居内ネットワーク１８内で別途割り当てられたローカルな識別番号を利用する必要があり、さらにコマンドのやり取りは無線通信機能付きセットトップボックス１６との間だけに限られるため単一コマンドで複数の情報家電端末に関する条件設定等を行う必要がありその結果異なるコマンドのフォーマットを採用する必要がある。
上記以外の点は住居１０内に住居内ネットワーク１８を構築しない場合の遠隔制御システムと同一である。
【００３０】
次に、それぞれのモードにおける具体的な適用例についてさらに検討する。
（１）自動制御モードにおいては、移動体通信端末（携帯電話）２０は自動制御モードに設定されていて、
▲１▼携帯電話を所持して外出した際に情報家電端末の設定を自動的に外出時設定にする場合、
▲２▼携帯電話を所持して帰宅した際に情報家電端末の設定を自動的に滞在時設定にする場合、
等が想定できる。
【００３１】
（２）手動制御モードにおいては、移動体通信端末（携帯電話）２０は手動モードに設定されていて、
▲１▼自宅において、意識的に携帯電話の物理的なボタンまたはソフトキーを利用して画面を通じて利用者が住居内に設置された無線通信機能付き情報家電端末の遠隔制御に必要な条件設定を行う場合、
▲２▼外出先から、意識的に携帯電話の物理的なボタンまたはソフトキーを利用して画面を通じて利用者が住居内に設置された無線通信機能付き情報家電端末の遠隔制御に必要な条件設定を行う場合、
▲３▼自宅において、意識的に携帯電話の物理的なボタンまたはソフトキーを利用して画面を通じて利用者が住居エリアにある無線通信機能付き自動車の車内をあらかじめ暖めたり冷房したり、窓の霜を暖めて取り除く等の処置をする場合、
▲４▼外出先で、無線通信機能付き自動車の鍵を車内に閉じ込めてしまった場合に、家族または第三者に、ロック解除の遠隔命令を依頼する場合、
等が想定できる。
【００３２】
自動制御モードの場合、移動体通信端末、通信機能付き自動車のいずれもＩＣカードを読み取る手段を有する。ＩＣカード内には移動体通信ネットワークを利用するための加入者識別モジュールが格納され、さらに、本発明の遠隔制御システム用に遠隔制御の対象となる情報家電端末毎の情報家電端末の名称や運転時設定等の必要情報が格納されている。
ＩＣカード内に格納されている、エアコンの温度調節や風呂に溜める湯水の温度、電子ロックのパスワードなどの個別設定がされており、この設定情報は随時ローカルで（例えば、移動体通信端末の表示画面で）変更できるものとする。
また、電子ロックの遠隔制御施錠や遠隔解錠も行えるものとする。
【００３３】
次に、本発明のシステムに使用する移動体通信端末とその機能について説明する。
図５は、移動体通信端末を示す図、図６は、移動体通信端末のメニュー例を示す図、図７は、移動体通信端末に装着されたＩＣカード内のファイル構造例を示す図である。
図５のように、移動体通信端末２０は、▲１▼通常の端末の移動体通信ネットワークとの無線通信機能に加えて、▲２▼位置情報（セルＩＤ等）検出機能を有し、さらにＩＣカードが装着されているため、▲３▼ＩＣカードとの通信機能を有し、▲４▼ＩＣカードに対して位置情報の変化を通知する機能、▲５▼ＩＣカードから受信した各種命令の実行機能も有するものとする。また、▲６▼情報家電端末に接続し通信する機能も搭載する。
またさらに、移動体通信端末２０はディスプレイ画面上で、▲７▼情報家電端末の遠隔制御に必要な条件設定を行う機能を有するものとする。
一方、ＩＣカード２０１は、移動体通信ネットワークへの接続の際に必ず必要な、▲１▼加入者識別モジュールを搭載し、移動体通信端末が位置情報の変化を検知した場合にＩＣカードにその事実を知らせるように移動体通信端末を設定しておく機能である▲２▼イベントセットアップ機能を有し、さらに、移動体端末から位置情報が変化した旨通知を受けた場合に、▲３▼移動体通信端末に対して、情報家電端末へ接続して外出時設定／滞在時設定に移行するコマンドを送信するよう要求する機能を有するものとする。
【００３４】
図６のように、移動体通信端末のディスプレイ表示において、（Ａ）初期画面では１．  自動制御モード、と２．  手動制御モード、を選択できる状態になっている。
ここで、１．  自動制御モードを選択した場合は、（Ｂ）設定項目画面に移り、１．  設定切替（ＯＮ設定からＯＦＦ設定へ、またはＯＦＦ設定からＯＮ設定へ）、２．  対象情報家電端末の新規登録、３．  対象情報家電端末の登録削除、４．  対象情報家電端末の設定、が選択できる。
（Ｂ）の設定項目画面において、１．  設定切替を選択すると、（Ｃ）設定切替画面に移る。この画面は現在のモードがどちらになっているかを示しているが、移動体通信端末を操作することによってＯＮ設定からＯＦＦ設定へ、ＯＦＦ設定からＯＮ設定へと切り替えることができる。自動制御モードがＯＦＦ設定になっている移動体通信端末が、住居エリアから外出しても、住居エリアの外部から帰宅しても、移動体通信端末が情報家電端末に対してアクションを起こすことはなくなる。自動制御モードがＯＦＦ設定になっている状態で情報家電端末の条件設定を操作するには手動制御モードを使う必要がある。
（Ｂ）の設定画面において、２．  対象情報家電端末の新規登録を選択した場合には、（Ｄ）新規登録画面に移る。この画面では利用者が携帯電話の物理的なボタンまたはソフトキーを利用して画面を通じて、▲１▼対象情報家電端末の名称、▲２▼情報家電端末の識別番号、▲３▼装着されたＩＣカードの識別番号、▲４▼自動制御対象／非対象情報、▲５▼自動制御時の設定情報、等の設定をすることができる。
（Ｂ）の設定画面において、３．  対象情報家電端末の登録削除を選択した場合には、（Ｅ）登録削除画面に移り、その画面上に表示されている情報家電端末の一覧の中から削除するものを選択することで（Ｆ）削除確認画面に移る。そこで利用者が「ＹＥＳ」を選択することにより削除処理が行われる。
（Ｂ）の設定画面において、４．  対象情報家電端末の設定を選択した場合には、（Ｇ）対象情報家電端末の設定画面に移る。その画面には既に遠隔制御対象として登録されている情報家電端末が一覧表示される。その中から設定を変更したい情報家電端末（図６の場合は「風呂」）を選択すると、（Ｈ）選択された情報家電端末（図６の場合は「風呂」）の設定画面に移り、その画面で自動制御モード時の外出時設定と滞在時設定を変更できる。
【００３５】
（Ａ）初期画面において、２．  手動制御モードを選択した場合は、（Ｉ）遠隔操作指示画面に移り、１．  自動制御モードの設定内容の実行、２．  手動制御モードの対象情報家電端末の設定、を選択できる。
（Ｉ）遠隔操作指示の画面において、１．  自動制御モードの設定内容の実行を選択した場合には、（Ｊ）設定選択の画面に移り、その画面で自動制御モードの滞在時設定と外出時設定のどちらにしたいかを選択する。どちらかが選択された段階で（Ｋ）実行確認の画面に移り、「ＹＥＳ」を選択すると操作により要求された方の設定に情報家電端末を変更するような処理が実行される。
（Ｉ）遠隔操作指示の画面において、２．  手動制御モードの対象情報家電端末の設定を選択した場合には、（Ｌ）対象情報家電端末の設定の画面に移る。
その画面上で設定を変更したい情報家電端末（図６の場合は「風呂」）を選択すると、（Ｍ）選択された情報家電端末（図６の場合は「風呂」）の設定画面に移り、その画面で任意の設定値を入力した後、同一画面上のある実行ボタンで入力された設定値に情報家電端末を変更するような処理が実行される。
【００３６】
図７の移動体通信端末に装着されたＩＣカード内のファイル構造のように、マスターファイルＭＦ１の下には、その他のサービスに使われるＤＦ２、ＤＦ３と並列で遠隔制御システム用ファイルＤＦ１が格納されており、遠隔制御システム用ファイルＤＦ１の下には自動制御モードＯＮ／ＯＦＦ情報用のファイルＥＦ１、住居エリア情報（住居エリアのセルＩＤ等）用のファイルＥＦ２、エリアステータス情報（現在住居エリアに滞在中なのかそれとも住居エリアから外出中なのかを示す情報）用ファイルＥＦ３、そして情報家電関連情報用ファイルＥＦ４、等が存在する。
情報家電関連情報用ファイルＥＦ４には、遠隔制御対象となる情報家電端末の詳細データが１件データ（１レコード）として格納されており、１件データの記録データには例えば、家電名称、情報家電端末の識別番号、装着されたＩＣカードの識別番号、自動制御対象／非対象情報、自動制御時の設定情報等が挙げられる。上記情報を１件データ（１レコード）として、情報家電端末台数分のレコードを格納する。
図７のＩＣカード内のファイル構造は一例であり、ＩＣカードによっては異なるファイル構造をとる場合も考えられるが、ＩＣカードに格納される情報は同一のものとする。
【００３７】
遠隔制御の命令の手順は、次のようになる。
（１）トリガー発生
自動制御モードでは、住居エリアの中から外に出たもしくは外から中に入ったことをＩＣカードを装着した移動体通信端末が検知した場合にトリガーが発生する。
手動制御モードでは、利用者が携帯電話の物理的なボタンまたはソフトキーを利用して画面を通じて意識的に設定の変更が指示された場合に、トリガーが発生する。
【００３８】
（２）対象となる情報家電端末に接続
トリガーが発生すると、ＩＣカードを装着した移動体通信端末は対象となる情報家電端末（複数可）を特定し、対象となる情報家電端末の識別番号（たとえば装着されたＩＣカード内の加入者識別モジュールに割り当てられたＩＭＳＩのような識別番号）を特定し移動体通信ネットワークを通じて接続する。
接続要求を行った移動体通信端末が情報家電端末の方で遠隔制御可能端末として設定されていた場合のみ正常に接続することが可能となる。また、接続時に情報家電端末側で遠隔操作が禁止されているような設定になっていた場合、接続は拒否される。
（３）設定変更コマンドを送信
接続が正常に完了したことを確認すると、移動体通信端末は、対象となる情報家電端末の設定を変更するためのコマンド（コマンド群）を送信する。
（４）設定変更コマンドの実行
移動体通信端末より設定を変更するためのコマンドを受信した情報家電端末は必要な処理を実行する。
（５）正常終了の通知
情報家電端末は、設定変更コマンドの処理を正常に終了すると、移動体通信端末に対して処理完了を通知する。
【００３９】
以上の説明において、情報家電端末として例示した内容は一例であって、例示以外の各種家電、例えば、風呂湯沸し機、太陽光発電装置、風力発電装置、太陽光温熱水装置、ガス、水道の元栓装置、洗濯機、食器洗い乾燥機、衣類乾燥機、室内自動掃除機、録画録音装置、監視装置、昇降機、等に適用できることは当業者に自明なことである。
また、無線通信機能付き自動車と同等な機器には、オートバイ、ヨット、小型船舶、スノーモービル、屋外散水装置、等があり、これらにも適用の対象にできることも当業者に自明なことである。
【００４０】
【発明の効果】
本発明の遠隔制御システムや移動体通信端末によれば、以下の効果が得られる。
（自動制御モードでは）
▲１▼移動体通信端末を携帯して外出すれば、家電製品の電源を落とし忘れることがない。
▲２▼移動体通信端末を携帯して外出すれば、帰宅時に自動的に特定の家電にあらかじめ電気をいれたり、事前に決めておいた設定にしておくことができる。（暖房をつける、電気を点灯、風呂の温度を３５°Ｃに設定する等）
▲３▼これらの操作は無意識に処理されるので、あらためて操作する必要がない。
▲４▼無線通信機能付きの電子ロックまたは住居内ネットワークを構築して集中管理する端末装置にローカルで接続しておけば、鍵のかけ忘れも未然に防止することができる。
尚、ＩＣカードが端末側に命令（コマンド）を能動的に送信できること、そのコマンドを実行する機構が端末側に存在すること、ＩＣカードに遠隔制御する情報家電のリストと滞在時／外出時それぞれの設定値が格納されていること、移動体通信ネットワークが移動体通信端末もしくはＩＣカードから受けた命令（コマンド）を接続先の情報家電端末に転送できること、命令（コマンド）を受けた情報家電端末がその命令（コマンド）に従って処理を実行できることが条件となる。
【００４１】
（手動制御モードでは）
▲１▼移動体通信端末があれば、どこからでも家電製品の電源ＯＮ／ＯＦＦや運転中の設定値の変更、さらに電子ロックの施錠／解錠を遠隔制御できる。
▲２▼この仕組みを無線通信機能付き自動車に応用すると、車の鍵を車内に閉じ込めてしまった時に、認められた第三者が遠隔の移動体通信端末の画面から意識的に無線通信機能付き自動車のロックを解錠することができる。
【図面の簡単な説明】
【図１】本発明システムの自動制御モードを示す図である。
【図２】本発明システムの手動制御モードを示す図である。
【図３】手動制御モードを無線通信機能付き自動車に適用する例を示す図である。
【図４】本発明システムに住居内ネットワークを構築した場合の自動制御モードの例を表す図である。
【図５】移動体通信端末を示す図である。
【図６】移動体通信端末のメニュー例を示す図である。
【図７】移動体通信端末に装着されたＩＣカード内のファイル構造例を示す図である。
【符号の説明】
１    利用者
２    家族
１０    住居
１１    無線通信機能付きテレビセット
１２    無線通信機能付き冷蔵庫
１２ｎ  冷蔵庫
１３    無線通信機能付きエアコン
１３ｎ  エアコン
１４    無線通信機能付きゲーム機
１４ｎ  ゲーム機
１５    無線通信機能付きパソコン
１５ｎ  パソコン
１６    無線通信機能付きセットトップボックス
１７ｎ  テレビモニタ
１８    住居内ネットワーク
１９    無線通信機能付き電子ロック
１９ｎ  電子ロック
２０    移動体通信端末
２１    表示用ディスプレイ
２２    キーボタン
３１、３２、３６    基地局
３３、３７    基地局コントローラ
３４    交換機
４０    無線通信機能付き自動車
１１１ａ  、１１１ｂ  、１１１ｃ  、１１１ｄ  、１１１ｅ  、１１１ｆ  、１１１ｇ  、１１１ｈ  、２０１    ＩＣカード
【図１】
2004192017.tif 000003
【図２】
2004192017.tif 000004
【図３】
2004192017.tif 000005
【図４】
2004192017.tif 000006
【図５】
2004192017.tif 000007
【図６】
2004192017.tif 000008
【図７】
2004192017.tif 000009